(57)【要約】【課題】河川等に於ける流水中の有機物やスカム等を排除し、流水からの悪臭防止を行う技術を提供する。【解決手段】河川７には前記川縁７ａと前記川縁７ｂ間に、例えば金属材料又は樹脂材料若しくは繊維材料等で構成した２本のロープ等の固定用紐８ａ、８ｂを流水７ｃの水面７ｅ上であって、該固定用紐８ａは河川７の川上側に、該固定用紐８ｂは河川７の川下側に、それぞれ張設している。前記臭気除去装置Ｄは、前記河川７の水面上であって、川縁７ａ及び川縁７ｂに沿って互いに所定間隔を有する複数個又は多数個を並置し、かつ浮遊させており、その前端部分ｄ１及びその後端部分ｄ２は接続紐９ａ及び９ｂにより前記川縁７ａと川縁７ｂ間に張設された前記固定用紐８ａ及び８ｂに係止又は連結されている。そして、該臭気除去装置Ｄは、略中空状筒体でなる容器１０と、該容器１０の内壁１０ａと外壁１０ｂ間に介装した微生物（バイオ）を植付けた活性炭素繊維体１１とで構成している。【選択図】図１
2004016855.tif 000002
【特許請求の範囲】
【請求項１】
微生物（バイオ）を植付けた活性炭素繊維体と、該活性炭素繊維体を内外壁間に介装すると共に流水の流入孔群を該内外壁に貫通配置した略中空状筒体でなる容器とで構成したことを特徴とする河川等の臭気除去装置。
【請求項２】
前記容器が外壁面を曲面又は螺旋状面に形成したことを特徴とする請求項１記載の河川等の臭気除去装置。
【請求項３】
前記容器が金属材料又はプラスチック繊維材料で作製したことを特徴とする請求項１記載の河川等の臭気除去装置。
【請求項４】
前記容器が略中空状円筒体又は略中空状筒体の篭で構成したことを特徴とする請求項１記載の河川等の臭気除去装置。
【請求項５】
前記容器が浮子体で構成したことを特徴とする請求項１記載の河川等の臭気除去装置。
【請求項６】
前記容器が略中空状円筒体で構成したことを特徴とする請求項１記載の河川等の臭気除去装置。
【請求項７】
河川等に於いて、前記微生物（バイオ）を植付けた活性炭素繊維体を内外壁間に介装してあって、流水の流入孔群を該内外壁に貫通配置した略中空状筒体でなる複数個の容器が、前記河川等の両端に接続する固定用紐で該河川等の水面上に浮遊されかつ並置されたことを特徴とする河川等の臭気除去装置の設置方法。
【請求項８】
河川等に於いて、前記微生物（バイオ）を植付けた活性炭素繊維体を内外壁間に介装してあって、流水の流入孔群を該内外壁に貫通配置した略中空状筒体でなる複数個の容器が、前記河川等の両端に設置したポールに流水位に応じて昇降自在に連係する両浮子間に接続する固定用紐で該河川等の水面上に浮遊されかつ並置されたことを特徴とする河川等の臭気除去装置の設置方法。
【請求項９】
前記容器が外壁面を曲面又は螺旋状面に形成したことを特徴とする請求項７又は８記載の河川等の臭気除去装置の設置方法。
【請求項１０】
前記容器が金属材料又はプラスチック繊維材料で作製したことを特徴とする請求項７又は８記載の河川等の臭気除去装置の設置方法。
【請求項１１】
前記容器が略中空状円筒体又は略中空状筒体の篭で構成したことを特徴とする請求項７又は８記載の河川等の臭気除去装置の設置方法。
【請求項１２】
前記容器が略中空状円筒体で構成したことを特徴とする請求項７又は８記載の河川等の臭気除去装置の設置方法。
【発明の詳細な説明】
【０００１】
【発明の属する技術分野】
本発明は、中小河川や湖沼又は水路、浄水路若しくは処理場施設等を含むいわゆる河川等の汚泥や流水からの悪臭発生を防止する河川等の臭気除去装置及びその設置方法に関する。
【０００２】
【従来の技術】
最近、特に、中小河川や湖沼又は水路、浄水路若しくは処理場施設等を含むいわゆる河川等に於いて生活雑排水が放流され、またゴミ等が放棄されることにより当該河川等の流水の水質が悪化し、しかも該生活雑排水やゴミ等の中には各種の有機物が多量に含まれており、これらの有機物は有機酸、硫化水素、メチルメルカプタン等の悪臭原因となる物質を発生する。また、河川等の河床に沈殿堆積する汚泥又は流水の水面上に浮遊する当該有機物の残渣であるいわゆるスカムが腐敗して悪臭を誘起するものであった。
【０００３】
そこで、従来の技術は、叙上に鑑みて、例えば、次の臭気除去装置及びその設置方法を採用することにより、河川等の流水からの悪臭発生を防止する対策を講じている。
【０００４】
当該従来の技術のうち、第１の例としては図４に示すような構成である。
これについて説明すれば、１は、中小河川や湖沼等の河川である。該河川１は河床１ａと、該河床１ａの両端から立上り形成された川縁１ｂと、該河床１ａ及びそれに一連につながる川縁１ｂ内の流水１ｃで構成されており、川上から川下に向い該流水１ｃが流れている。該河川１は生活雑排水やゴミ等が流れ込んでおり、このため悪臭原因となる有機物やスカム１ｄが発生している。また、前記河床１ａから川縁１ｂの一部又は全域には汚泥１ｅが沈殿堆積している。而して、例えば、図示するように、全体が略矩形を有したシート状であって、厚さが約２０（ｃｍ）〜３０（ｃｍ）程度でなる単繊維体２にバチルス菌や納豆菌又は枯草菌等の微生物（バイオ）を植付け、更に該単繊維体２の外面ないし周囲を例えば炭素繊維ネット３で被覆した構成物、すなわち臭気除去装置Ｂを前記河床１ａに所定間隙を有して、複数個を配置する構成又は方法であった。そして、前記単繊維体２及び炭素繊維ネット３中に付着した微生物（バイオ）が前記スカム１ｄや有機物を餌食して流水１ｃの水質浄化を行い、悪臭発生を防止するものであった。
【０００５】
当該従来の技術のうち、第２の例としては図５に示すような構成である。
これについて説明すれば、例えば図示するように、汚泥焼却灰４ａを内部に密封した袋体４や木炭５ａを内部に密封した袋体５を有した臭気除去装置Ｃを所望数個前記河床１ａに配置する構成であった。そして、流水１ｃが前記袋体４及び５の外表面に穿設した小孔４ｂ、５ｂから内部に浸入し、前記流水１ｃ中に含まれる有機物やスカム１ｄを低減し、水質の向上及び悪臭発生を防止するものであった。
尚、他の構成部分は前述の第１の例と同一であるので説明を省略する。
【０００６】
当該従来の技術のうち、第３の例としては図６に示すような構成である。
これについて説明すれば、６は噴霧タンクであり、バチルス菌等の微生物（バイオ）や植物性又は化学性消臭剤を貯留している。そして、該噴霧タンク６のノズル６ａで前記微生物（バイオ）や前記消臭剤を前記河川１の流水１ｃや汚泥１ｅに向けて噴霧し、該流水１ｃの水面や汚泥からの悪臭発生を防止するものであった。
尚、他の構成部分は、前述の第１の例と同一であるので、説明を省略する。
【０００７】
【発明が解決しようとする課題】
従来の技術に於ける河川等の臭気除去装置は、上述した構成であるので、次の課題が存在した。
上述した従来の技術に於ける第１の例によれば、前記河川１の河床１ａには、汚泥１ｅや有機物が沈浸しており、これらが流水１ｃの流れ等により臭気除去装置Ｂの炭素繊維ネット３の網目や細隙等に目詰り状態を呈し、そのため炭素繊維ネット３内の単繊維体２に有機物等を含んだ流水１ｃが流れ込まなくなり、該単繊維体２に植付けられている微生物（バイオ）が前記有機物やスカム１ｄを餌食することがなく、該河川１の流水１ｃからの悪臭防止対策として不十分であるという問題があった。また、当該臭気除去装置Ｂは、河床１ａに戴置しているので、河川１の水面１ｆ上に於ける有機物やスカム１ｄを餌食できないことに加えて、臭気対策が暫定的かつ持続期間が短く、河水１の全流水１ｃの水質向上や流水１ｃからの悪臭防止について期待する程の成果が得られないという問題点があった。
【０００８】
上述した従来の技術に於ける第２の例によれば、前述した第１の例と同様に流水１ｃの流れ等により、汚泥１ｅ等が臭気除去装置Ｃの袋体４、５の小孔４ｂ、５ｂに目詰まり状態を呈し、そのため、該袋体４、５内の汚泥焼却灰４ａや木炭５ａに有機物等を含んだ流水１ｃが流れ込まなくなり、該袋体４、５内の該汚泥焼却灰４ａや木炭５ａが該流水１ｃの水質浄化作用及び悪臭除去作用をしなくなるという問題点があった。
【０００９】
上述した従来の技術に於ける第３の例によれば、河川１等に於ける流水１ｃの水面１ｆ又は汚泥１ｅに微生物（バイオ）や消臭剤を噴霧する方法又は構成は、作業員による噴霧作業工数が増大するのみならず、当該微生物（バイオ）や消臭剤を上記水面１ｆや川縁１ｂ又は汚泥１ｅに均一であって定量に噴霧することが困難であるという問題があった。また、上記流水１ｃの水面１ｆ等に微生物（バイオ）や消臭剤を噴霧する方法又は構成は、対処方法、手段として暫定的な悪臭発生防止対策であって、対策維持期間が短くかつ悪臭発生防止対策の信頼性に欠けるという欠点があった。更に、該河川１の流水１ｃが定量を越えた場合や流水１ｃの速度が極めて速い場合、前記微生物（バイオ）や消臭剤も一緒に流送され、該河川１の流水１ｃからの発生する悪臭等の臭気除去ができなくなるという問題点があった。
【００１０】
【課題を解決するための手段】
本発明は、内外壁に貫通した流水孔群を形成した略中空状筒体でなる容器及び該容器を河川等の両端に接続する固定用紐で複数個を列設して水面上に浮遊させた構成に於いて、該容器のそれぞれの内外壁間に挿装してあって、活性炭素繊維体に植付けた微生物（バイオ）が中小河川や湖沼又は水路、浄水路若しくは処理場施設等を含む河川等の流水中に包含する流水の水質悪化要因や悪臭要因となる有機物やスカムを餌食することにより、該有機物を大幅に低減させ、設備費用や設置工数を大幅に削減すると共に、簡単な装置や方法でもって、前記河川等の臭気除去装置及びその設置方法を提供することを目的としたものであって、次の構成、手段から成立する。
【００１１】
請求項１記載の発明によれば、微生物（バイオ）を植付けた活性炭素繊維体と、該活性炭素繊維体を内外壁間に介装すると共に流水の流入孔群を該内外壁に貫通配置した略中空状筒体でなる容器とで構成したことを特徴とする河川等の臭気除去装置である。
【００１２】
請求項２記載の発明によれば、前記容器が外壁面を曲面又は螺旋状面に形成したことを特徴とする請求項１記載の河川等の臭気除去装置である。
【００１３】
請求項３記載の発明によれば、前記容器が金属材料又はプラスチック繊維材料で作製したことを特徴とする請求項１記載の河川等の臭気除去装置である。
【００１４】
請求項４記載の発明によれば、前記容器が略中空状円筒体又は略中空状筒体の篭で構成したことを特徴とする請求項１記載の河川等の臭気除去装置である。
【００１５】
請求項５記載の発明によれば、前記容器が浮子体で構成したことを特徴とする請求項１記載の河川等の臭気除去装置である。
【００１６】
請求項６記載の発明によれば、前記容器が略中空状円筒体で構成したことを特徴とする請求項１記載の河川等の臭気除去装置である。
【００１７】
請求項７記載の発明によれば、河川等に於いて、前記微生物（バイオ）を植付けた活性炭素繊維体を内外壁間に介装してあって、流水の流入孔群を該内外壁に貫通配置した略中空状筒体でなる複数個の容器が、前記河川等の両端に接続する固定用紐で該河川等の水面上に浮遊されかつ並置されたことを特徴とする河川等の臭気除去装置の設置方法である。
【００１８】
請求項８記載の発明によれば、河川等に於いて、前記微生物（バイオ）を植付けた活性炭素繊維体を内外壁間に介装してあって、流水の流入孔群を該内外壁に貫通配置した略中空状筒体でなる複数個の容器が、前記河川等の両端に設置したポールに流水位に応じて昇降自在に連係する両浮子間に接続する固定用紐で該河川等の水面上に浮遊されかつ並置されたことを特徴とする河川等の臭気除去装置の設置方法である。
【００１９】
請求項９記載の発明によれば、前記容器が外壁面を曲面又は螺旋状面に形成したことを特徴とする請求項７又は８記載の河川等の臭気除去装置の設置方法である。
【００２０】
請求項１０記載の発明によれば、前記容器が金属材料又はプラスチック繊維材料で作製したことを特徴とする請求項７又は８記載の河川等の臭気除去装置の設置方法である。
【００２１】
請求項１１記載の発明によれば、前記容器が略中空状円筒体又は略中空状筒体の篭で構成したことを特徴とする請求項６、７又は８記載の河川等の臭気除去装置の設置方法である。
【００２２】
請求項１２記載の発明によれば、前記容器が略中空状円筒体で構成したことを特徴とする請求項７又は８記載の河川等の臭気除去装置の設置方法である。
【００２３】
【発明の実施の形態】
本発明に係る河川等の臭気除去装置及びその設置方法に於ける実施の形態について、添付図面に基づき説明する。
【００２４】
【発明の実施の形態１】
本発明の実施の形態１に係る河川等の臭気除去装置Ｄ及びその設置方法は、例えば、図１及び図２に示す構成である。
【００２５】
図１は、河川等の臭気除去装置Ｄの設置方法を例示してあり、また、図２は、図１の矢視Ａ−Ａ方向の断面図であって、該本発明に係る河川等の臭気除去装置Ｄの内部の構造を示すものである。
【００２６】
７は中小河川や湖沼又は水路、浄水路若しくは処理場施設等を含む河川である。該河川７は河床（図示せず）と、該河床の両端から立上り形成された川縁７ａ、７ｂと、該河床及びそれに一連につながる川縁７ａ、７ｂ内の流水７ｃで構成されており、該流水７ｃは川上から川下に向かい流れている。該河川１は生活雑排水やゴミ等が流れ込んでおり、悪臭原因となる有機物やスカム７ｄが発生している。また、前記河川７の河床から一連につながる川縁７ａ、７ｂの一部又は全域には汚泥（図示せず）が沈殿堆積している。
【００２７】
前述した河川７には前記川縁７ａと前記川縁７ｂ間に、例えば金属材料又は樹脂材料若しくは繊維材料等で構成した２本のロープ等の固定用紐８ａ、８ｂを流水７ｃの水面７ｅ上であって、該固定用紐８ａは河川７の川上側に、該固定用紐８ｂは河川７の川下側に、それぞれ張設している。
【００２８】
前記臭気除去装置Ｄは、図２に示すように前記河川７の水面７ｅ上であって、川縁７ａ及び川縁７ｂに沿って互いに所定間隔を有する複数個又は多数個を並置し、かつ浮遊させており、その前端部分ｄ１及びその後端部分ｄ２は接続紐９ａ及び９ｂにより前記川縁７ａと川縁７ｂ間に張設された前記固定用紐８ａ及び８ｂに係止又は連結されている。ここに於いて、該臭気除去装置Ｄは、略中空状筒体例えば略中空状円筒体でなる容器１０と、該容器１０の内壁１０ａと外壁１０ｂ間に介装した微生物（バイオ）を植付けた活性炭素繊維体１１とで構成している。すなわち、該活性炭素繊維体１１は、不織布等であって、例えば、東洋紡株式会社製のＫＦフェルト（商品名）等を採用する。
【００２９】
前記臭気除去装置Ｄの前端部分ｄ１及び後端部分ｄ２は内部が中央部分と一連に空洞であって、円錐体を構成し、その頂部に図１に示すように接続紐９ａ及び９ｂをそれぞれ接続している。そして、該前端部分ｄ１内及びその後端部分ｄ２内にも前記活性炭素繊維体１１は容器１０の中央部分から一体的に充填している。尚、上記容器１０は金属材料又はプラスチック繊維材料等で構成され、略中空状円筒体又は筒体等の篭を含み、すなわち、同一の機能を有する篭で代替させ構成してもよい。また、該容器１０は、河川７の流水７ｃの水面７ｅ上に浮き易く浮子体で構成するとよい。
【００３０】
前記容器１０は、バイオ床として機能してあって、内壁１０ａと外壁１０ｂの一部又は全域には流水７ｃが浸入する多数又は複数個の流入孔１０ｃを貫通配置している。該流入孔１０ｃは流水７ｃが浸入し、かつ前記活性炭素繊維体１１から流水７ｃ側に微生物（バイオ）が遊泳できる小孔等で構成され、その形状は円形状等いかなる形状であってもよい。そして、前記容器１０の内壁１０ａと外壁１０ｂ間に介装する活性炭素繊維体１１は、該容器１０の内外壁１０ａ、１０ｂ間に介装する前に、例えば、微生物（バイオ）槽の槽底に貯留した土中に生息するバチルス菌のうちから選定した増殖能力の高い菌を予め植付けている。すなわち、前記活性炭素繊維体１１は該微生物（バイオ）を事前に担持させた構成である。
【００３１】
また、前記容器１０は外壁面１０ｄが曲面又は螺旋状面に形成している。河川１の流水７ｃが河川１の川上から川下に流下する際、特に、当該外壁面１０ｄを流れるとき、該容器１０すなわち臭気除去装置Ｄは、流水７ｃの水流により矢印Ｅ方向の回転モーメントを受け、連続した回転動作をする。これにより、該容器１０の外壁面１０ｄ又は内壁１０ａに付着しているゴミや汚泥の残渣等を振り落とし、該容器の外壁１０ｂや内壁１０ａに設造した流入孔１０ｃ群の目詰り状態を防止している。従って、常に流水７ｃは容器１０を介して前記活性炭素繊維体１１内に浸入すると共に、該活性炭素繊維体１１内から微生物（バイオ）が流入孔１０ｃから流水７ｃへ遊泳し、流水７ｃ中に包含する有機物やスカム７ｄを餌食する。
尚、前記容器１０は、前記本実施の形態１に示すような略中空状筒体に限らず、中空状の円筒体又は三角柱体や中空状の六角柱体等各種の中空状筒体の形状であっても差支えない。
【００３２】
次に、本発明の実施の形態１に係る河川等の臭気除去装置Ｄ及びその設置方法の動作、作用等について説明する。
【００３３】
図１及び図２に示すように、前記活性炭素繊維体１１を介装した容器１０若しくは当該臭気除去装置Ｄが前記河川７の流水７ｃの水面７ｅ上に浮遊されると、該流水７ｃが前記容器１０に於ける外壁１０ｂ及び内壁１０ａの流入孔１０ｃ、１０ｃを経由して該容器１０内及び活性炭素繊維体１１内に浸入する。而して、予め該活性炭素繊維体１１に植付けられたバチルス菌等の微生物（バイオ）が、前記流入孔１０ｃ、１０ｃから流水７ｃ側に遊泳して該流水７ｃ中の前記有機酸、硫化水素、メチルメルカプタン等の有機物やスカム７ｄを餌食する。このようにして、上記流水７ｃ中の有機物やスカム７ｄが排除されて、悪臭原因が取り除かれ、併せて該流水７ｃの水質を向上させる作用を奏する。
【００３４】
次に、上述した本発明の実施の形態１に係る河川等の臭気除去装置Ｄ及びその設置方法によれば、図１に示すように、河川７の川上から川下に向って流水７ｃが流下し、特に、当該流水７ｃが該臭気除去装置Ｄの相互間の流域を流れることにより、該臭気除去装置Ｄの容器１０の外壁面１０ｄが曲面又は螺旋状面に形成されているので、該臭気除去装置Ｄに回転力が付加され右方向又は左方向に連続した回転運動をする。而して、当該容器１０の外壁１０ｂ及び内壁１０ａに付着しているゴミ等の付着物を自動的に該容器１０から分離かつ離脱させて、該外壁１０ｂ及び内壁１０ａに貫通配置した複数個かつ多数個の流入孔１０ｃ群の目詰り状態を解消すると共に、前記流水７ｃは常に、容器１０及び活性炭素繊維体１１へ流れ込み、併せて該活性炭素繊維体１１に植付けられた微生物（バイオ）が前記流入孔１０ｃ群から流水７ｃ側に遊泳し、該流水７ｃ中の該有機物やスカム７ｄを餌食する。そして、前記臭気除去装置Ｄが所定間隔を有して河川７の川幅に応じて所望数個又は複数個若しくは多数個を並置しているので、河川７を流下する流水７ｃの全域に渉り、継続的な悪臭除去を行うと共に河川７の流水７ｃの水質浄化の作用をする。
【００３５】
また、前記河川７の川縁７ａと川縁７ｂ間に張設した固定用紐８ａ及び８ｂ又は該固定用紐８ａ及び８ｂと当該臭気除去装置Ｄとに接続した接続紐９ａ及び９ｂがダンパ機能を持たせたものや伸縮自在な紐等で構成することにより、流水７ｃの水流や渦流に応じて前記容器１０ないし臭気除去装置Ｄが前後に連続して拾動可能となし、更に、当該容器１０に付着したゴミ等や粘着性のある付着物でも容易に脱落させることができる。また、前記臭気除去装置Ｄの容器１０を浮子体で構成すれば、該臭気除去装置Ｄが河床側に沈浸することがないので、前記固定用紐８ａ、８ｂ及び前記接続紐９ａ、９ｂを河床側に引張らずに、常に当該臭気除去装置Ｄは流水７ｃの水流によって連続して回転運動することとなる作用を奏する。
【００３６】
【発明の実施の形態２】
本発明の実施の形態２に係る河川等の臭気除去装置Ｄの設置方法は、図３に示す構造である。
【００３７】
図３に示す本発明の実施の形態２に係る河川等の臭気除去装置Ｄの設置方法は、特に、図１に示す本発明の実施の形態１に於ける川縁７ａ及び７ｂ間に張設された固定用紐８ａ及び８ｂの固定手段が相違している点が特徴である。
【００３８】
前記河川７の河床の両端から立上り形成された川縁７ａ及び川縁７ｂの最下部位等の該河川７の両端付近に２本のポール１２を立設固定している。図３は、河川７の一方の川縁７ａ側に配置した一方のポール１２を示してある。該一方のポール１２は木材や金属材料等で成形し構成してあって、流水７ｃの流水位に応じてその下端から上端まで固定用紐８ａを昇降自在に移動させるべく浮子１３を連係又は係止している。すなわち、該浮子１３は前記固定用紐８ａの一端に接続してあって、略垂直方向中心部に貫通孔１３ａを穿設しており、該貫通孔１３ａ内に前記ポール１２を挿入配置している。そして、流水７ｃの流水位が低い場合、これに応じて該浮子１３は自動的に下降し、また、流水位が高い場合、これに応じて自動的に上昇する構成となっている。また、他方のポール（図示せず）も川縁７ｂ側又は河川７の他方側に立設固定しており、浮子１３を挿入配置し該浮子１３を流水７ｃの流水位に応じて自動的に下降又は上昇させる構成となっており、前記一方のポール１２と同様である。
【００３９】
このように、一方及び他方のポール１２の上下に昇降自在に連係する両浮子間に接続する固定用紐８ａを流水７ｃの流水位に応じて移動させるので、該固定用紐８ａに接続する前記臭気除去装置Ｄを常に流水７ｃの水面７ｅ上に昇降自在に浮遊させる。
【００４０】
上述は前記河川７の川上側すなわち前記臭気除去装置Ｄの前端部分ｄ１側の構成を説明したが、前記河川７の川下側すなわち前記臭気除去装置Ｄの後端部分ｄ２側にも２本のポール及びそれに関連する前記と略同一の構成を備えており、前後左右の浮子１３の昇降作動により、固定用紐８ａ及び８ｂを自動的に河川７の流水位に応じて昇降させるに従い、常に複数個又は多数個を水面１ｅ上に当該臭気除去装置Ｄの前端部分ｄ１及び後端部分ｄ２を含めてその全体を完全に浮遊させることができる。
【００４１】
また、前記臭気除去装置Ｄを流水７ｃに所定期間浮遊させた後、又は該河川７の悪臭防止機能を完了した際、若しくは当該臭気除去装置Ｄの交換の必要があるときや多量降雨による河川７の増水時、河川７の渇水に於ける不要時等に於いて、前記河川７の水面１ｅに浮遊させた該臭気除去装置Ｄは、河川７の前後左右に立設固定した４つのポール１２から各々の浮子１３を引抜くことで簡単かつ容易に撤去でき、また、必要に応じて逆の操作で新規の臭気除去装置Ｄを流水７ｃの水面１ｅ上に設置できる。
【００４２】
尚、本発明の実施の形態２に係る河川等の臭気除去装置Ｄの設置方法の他の構成及び作用は、前記本発明の実施の形態１と略同一であり、その説明を省略する。
【００４３】
【発明の効果】
本発明に係る河川等の臭気除去装置及びその設置方法は、叙上の構成、動作を有するので、次のような効果がある。
【００４４】
請求項１記載の発明によれば、微生物（バイオ）を植付けた活性炭素繊維体と、該活性炭素繊維体を内外壁間に介装すると共に流水の流入孔群を該内外壁に貫通配置した略中空状筒体でなる容器とで構成したことを特徴とする河川等の臭気除去装置を提供する。
このような構成としたので、河川等に於ける流水から発生する悪臭を簡単な装置で防止することができ、併せて流水の水質浄化を図ることができる効果がある。
【００４５】
請求項２記載の発明によれば、前記容器が外壁面を曲面又は螺旋状面に形成したことを特徴とする請求項１記載の河川等の臭気除去装置を提供する。
このような構成としたので、河川の流水の水流から臭気除去装置の回転運動を連続的に発現させ、ゴミ等による目詰り状態を解消する臭気除去装置を提供できる効果がある。
【００４６】
請求項３記載の発明によれば、前記容器が金属材料又はプラスチック繊維材料で作製したことを特徴とする請求項１記載の河川等の臭気除去装置を提供する。
このような構成としたので、容器を汎用の金属又はプラスチック繊維材料で構成し、実施化を容易にする効果がある。
【００４７】
請求項４記載の発明によれば、前記容器が略中空状円筒体又は略中空状筒体の篭で構成したことを特徴とする請求項１記載の河川等の臭気除去装置を提供する。このような構成としたので、容器が中空状筒体の簡単な構成でなる篭で構成し、極めて軽量かつ加工費の少ない低廉なコストで当該臭気除去装置を作製できる効果がある。
【００４８】
請求項５記載の発明によれば、前記容器が浮子体で構成したことを特徴とする請求項１記載の河川等の臭気除去装置を提供する。
このような構成としたので、該臭気除去装置が河川の河床等に沈浸することなく、微生物（バイオ）が流水中の有機物やスカムを有効に餌食することができる効果がある。
【００４９】
請求項６記載の発明によれば、前記容器が略中空状円筒体で構成したことを特徴とする請求項１記載の河川等の臭気除去装置を提供する。
このような構成としたので、容器及び該臭気除去装置が流水の水面上で水流による回転運動を連続的に円滑に行い、更に、ゴミ等の付着物を効果的に離脱させると共に、装置自体が自浄機能の向上を図る効果がある。
【００５０】
請求項７記載の発明によれば、河川等に於いて、前記微生物（バイオ）を植付けた活性炭素繊維体を内外壁間に介装してあって、流水の流入孔群を該内外壁に貫通配置した略中空状筒体でなる複数個の容器が、前記河川等の両端に接続する固定用紐で該河川等の水面上に浮遊されかつ並置されたことを特徴とする河川等の臭気除去装置の設置方法を提供する。
このような構成としたので、各種の河川等広範囲に於ける現場にて当該臭気除去装置を軽量かつ簡易であって組立容易に設置すること、及び、本装置に使用するバチルス菌等の微生物（バイオ）や部材が無害であって自然環境に順応するもので構成されており、更に河川の持続的な悪臭防止又は水質向上を実現できる等の効果がある。
【００５１】
請求項８記載の発明によれば、河川等に於いて、前記微生物（バイオ）を植付けた活性炭素繊維体を内外壁間に介装してあって、流水の流入孔群を該内外壁に貫通配置した略中空状筒体でなる複数個の容器が、前記河川等の両端に設置したポールに流水位に応じて昇降自在に連係する両浮子間に接続する固定用紐で該河川等の水面上に浮遊されかつ並置されたことを特徴とする河川等の臭気除去装置の設置方法を提供する。
このような構成としたので、当該臭気除去装置を各種の河川等に必要に応じて容易に脱着可能となり、その設置や取外しに伴う作業工数が大幅に削減できる効果がある。また、当該臭気除去装置及びそれに関連する部品を別の工場等で作製しユニット化を実現でき、現地までユニット品として搬送し一斉にかつ多量に簡易迅速に河川等に設置又は取外しできる効果がある。また、前記ポール内の浮子を流水の流水位に応じて自動的に昇降可能となし、該臭気除去装置を常に水面上に浮遊させるので微生物（バイオ）の餌食活動を活発化させ、河川の悪臭防止の機能を更に向上させる効果がある。
【００５２】
請求項９記載の発明によれば、前記容器が外壁面を曲面又は螺旋状面に形成したことを特徴とする請求項７又は８記載の河川等の臭気除去装置の設置方法を提供する。
このような構成としたので、河川の流水による水流から該臭気除去装置の回転運動を連続的に発現させ、ゴミ等による目詰り状態を解消する臭気除去装置の設置方法を提供できる効果がある。
【００５３】
請求項１０記載の発明によれば、前記容器が金属材料又はプラスチック繊維材料で作製したことを特徴とする請求項７又は８記載の河川等の臭気除去装置の設置方法を提供する。
このような構成としたので、容器を汎用の金属又はプラスチック繊維材料で構成し該臭気除去装置の設置方法を実施化容易とする効果がある。
【００５４】
請求項１１記載の発明によれば、前記容器が略中空状円筒体又は略中空状筒体の篭で構成したことを特徴とする請求項６、７又は８記載の河川等の臭気除去装置の設置方法を提供する。
このような構成としたので、容器が中空状筒体の簡単な構成でなる篭で構成し、極めて軽量かつ加工費の少ない低廉なコストで当該臭気除去装置の設置方法を提供できる効果がある。
【００５５】
請求項１２記載の発明によれば、前記容器が略中空状円筒体で構成したことを特徴とする請求項７又は８記載の河川等の臭気除去装置の設置方法を提供する。
このような構成としたので、容器及び該臭気除去装置が流水の水面上で水流による回転運動を連続的に行い、更にゴミ等の付着物を効果的に離脱させると共に装置自体が自浄機能の向上を図る臭気除去装置の設置方法を提供する効果がある。
【図面の簡単な説明】
【図１】本発明に係る河川等の臭気除去装置及びその設置方法に於ける実施の形態１を示す平面図である。
【図２】図１の矢視Ａ−Ａ方向の拡大断面図である。
【図３】本発明に係る河川等の臭気除去装置及びその設置方法に於ける実施の形態２を示す要部の部分拡大側面図である。
【図４】従来の技術に於ける第１の例としての河川等の臭気除去装置の設置状態を示す断面図である。
【図５】従来の技術に於ける第２の例としての河川等の臭気除去装置の設置状態を示す断面図である。
【図６】従来の技術に於ける第３の例としての河川等の臭気除去装置の設置状態を示す断面図である。
【符号の説明】
７　　　　　　河川
７ａ、７ｂ　　川縁
７ｃ　　　　　流水
７ｄ　　　　　スカム
７ｅ　　　　　水面
８ａ、８ｂ　　固定用紐
９ａ、９ｂ　　接続紐
１０　　　　　容器
１０ａ　　　　容器の内壁
１０ｂ　　　　容器の外壁
１０ｃ　　　　容器の流入孔
１０ｄ　　　　容器の外壁面
１１　　　　　活性炭素繊維体
１２　　　　　ポール
１３　　　　　浮子
１３ａ　　　　浮子の貫通孔
Ｄ　　　　　　臭気除去装置
ｄ１　　　　　臭気除去装置の前端部分
ｄ２　　　　　臭気除去装置の後端部分
【図１】
2004016855.tif 000003
【図２】
2004016855.tif 000004
【図３】
2004016855.tif 000005
【図４】
2004016855.tif 000006
【図５】
2004016855.tif 000007
【図６】
2004016855.tif 000008